Podtech/llm-jp-corpus-v4-ja_patent huggingface dataset:
(57)【要約】【課題】  豚等の動物に苦痛を与えることなく、容易に子宮頚管内に挿入できるカテーテルを提供する。【解決手段】  軟質素材からなる先端部と硬質素材からなる基端部とからなる中空筒状のカテーテルであって、前記先端部の軟質素材中に、塑性変形可能な芯材が軸方向に埋設されていることを特徴とする人工授精用カテーテル。【選択図】  図１
2006167093.tif 000002
【特許請求の範囲】
【請求項１】
軟質素材からなる先端部と硬質素材からなる基端部とからなる中空筒状のカテーテルであって、前記先端部の軟質素材中に、塑性変形可能な芯材が軸方向に埋設されていることを特徴とする人工授精用カテーテル。
【請求項２】
塑性変形可能な芯材が、針金であることを特徴とする請求項１記載の人工授精用カテーテル。
【請求項３】
軟質素材が、熱可塑性エラストマーであることを特徴とする請求項１又は２記載の人工授精用カテーテル。
【発明の詳細な説明】
【技術分野】
【０００１】
本発明は、家畜や実験動物の人工授精の際に使用するカテーテルに関する。
【背景技術】
【０００２】
近年、豚の生産の効率化及び省力化を図るため、人工授精による交配が行われるようになってきている。豚の人工授精は、通常、カテーテルを豚の外陰部から子宮頚管まで挿入することによって行う。しかし、豚の子宮頚管内には多くの襞があり、これらがカテーテルの挿入の障害となる。
【０００３】
カテーテルの挿入を容易にするため、従来から螺旋型の先端を持ったカテーテルが使用されている（特許文献１）。
【０００４】
【特許文献１】特公平8-22293号公報
【発明の開示】
【発明が解決しようとする課題】
【０００５】
上記螺旋型のカテーテルは、いわば子宮頚管内にカテーテルを無理やりねじ込むものであり、このカテーテルにより作業時間は短縮できるが、豚に大きな苦痛を与えるものである。
【０００６】
カテーテルの先端が一定の角度で曲げられていると、襞との接触をうまく避けられ、容易にカテーテルを子宮頚管内に挿入できることが経験的に確認されている。しかし、襞との接触を避けるための角度は各個体で様々であり、すべての個体に対して、容易に挿入できるカテーテルを作製することはできなかった。
【０００７】
本発明は、以上のような技術的背景の下になされたものであり、豚に苦痛を与えることなく、容易に子宮頚管内に挿入できるカテーテルを提供することを目的とする。
【課題を解決するための手段】
【０００８】
本発明者は、上記課題を解決するため鋭意検討を重ねた結果、カテーテルの先端部を軟質素材で作り、その内部に針金を埋設し、作業者が任意の角度に曲げられるようにすることにより、豚に苦痛を与えることなく、容易に子宮頚管内にカテーテルを挿入できることを見出し、この知見に基づき本発明を完成するに至った。
【０００９】
即ち、本発明は、以下の（１）〜（３）を提供するものである。
【００１０】
（１）軟質素材からなる先端部と硬質素材からなる基端部とからなる中空筒状のカテーテルであって、前記先端部の軟質素材中に、塑性変形可能な芯材が軸方向に埋設されていることを特徴とする人工授精用カテーテル。
【００１１】
（２）塑性変形可能な芯材が、針金であることを特徴とする（１）記載の人工授精用カテーテル。
【００１２】
（３）軟質素材が、熱可塑性エラストマーであることを特徴とする（１）又は（２）記載の人工授精用カテーテル。
【発明の効果】
【００１３】
本発明の人工授精用カテーテルを用いることにより、動物に苦痛を与えることなく、容易に人工授精を行うことができるようになる。
【発明を実施するための最良の形態】
【００１４】
本発明の人工授精用カテーテルは、軟質素材からなる先端部と硬質素材からなる基端部とからなる中空筒状のカテーテルであって、前記先端部の軟質素材中に、塑性変形可能な芯材が軸方向に埋設されていることを特徴とするものである。
【００１５】
本発明の人工授精用カテーテルは、主として豚、特にミニブタの人工授精に使用するものであるが、それ以外の家畜や実験動物などに使用してもよい。
【００１６】
使用する軟質素材は、先端部を曲げることにより破断しないだけの柔軟性と弾性を持つものであれば特に限定されず、例えば、熱可塑性エラストマーなどを使用することができる。熱可塑性エラストマーの硬度は１０〜２０程度が好適である。
【００１７】
使用する硬質素材は、挿入時の操作によって変形しない程度の硬さを持つものであれば特に限定されず、例えば、塩化ビニル、硬質ゴムなどを使用することができる。
【００１８】
先端部の長さ及び太さは対象とする動物の種類によって決めればよく、例えば、ミニブタを対象とする場合であれば、長さ2〜6cm、直径2〜5mm程度とするのが好適である。
【００１９】
基端部の長さ及び太さも対象とする動物の種類によって決めればよく、例えば、ミニブタを対象とする場合であれば、長さ5〜15cm、直径2〜10mm程度とするのが好適である。
【００２０】
芯材は、作業者が道具を使わずに変形可能な程度に軟らかく、また、カテーテル挿入時に大きく変形しない程度の硬さを持つものであれば特に限定されない。好適な芯材としては、針金を例示できる。芯材の材質及び太さは対象とする動物の種類に応じて選択すればよく、例えば、ミニブタの人工授精に使用する場合、直径1〜3mm程度の軟鉄製針金を使用することができる。
【００２１】
本発明の人工授精用カテーテルは、例えば、以下のように使用する。まず、基端部にある精子注入口を、チューブを介して精子注入用のシリンジとつなげる。次に、作業者が適当であると考える角度にカテーテルの先端部を曲げた後、これを豚の子宮頚管内に挿入する。このとき、子宮頚管内の襞との当たり具合から角度が適当でないと判断される場合は一度カテーテルを引き抜き、角度を調整した後、再度挿入する。角度が適当であると判断される場合はそのままカテーテルを子宮頚管内の奥まで挿入し、その後、シリンジから精子を送り込み人工授精を行う。
【実施例】
【００２２】
以下、本発明の人工授精用カテーテルの一態様を図１を用いて説明する。
【００２３】
この人工授精用カテーテルは、先端部１と基部２とから構成される。先端部１は、中空筒状であり、一方の末端が精子吐出口４となっており、もう一方の末端は基部２の中空部分とつながっている。先端部１の内部には、芯材３が埋設されている。芯材３は、針金のように、自由に曲げられ、なおかつ一度曲げられるとその曲がった状態がそのまま残るような素材からなる。先端部１の芯材３以外の部分は、熱可塑性エラストマーのような柔軟な素材からなるため、芯材３が曲がると、それに従い先端部１全体も曲がる。芯材３は、カテーテルの軸方向に埋設されており、その一方の末端は先端部１の最先端部分の近傍にあり、もう一方の末端は基部２に固定されている。
【００２４】
基端部２も先端部１同様に中空筒状であり、その一方の末端は先端部１の中空部分につながり、他の一方の末端が精子注入口５になっている。
【図面の簡単な説明】
【００２５】
【図１】本発明の人工授精用カテーテルの一態様を示す図である。
【符号の説明】
【００２６】
１  先端部
２  基端部
３  芯材
４  精子吐出口
５  精子注入口
【図１】
2006167093.tif 000003
(57)【要約】【課題】  鉛直方向に組込まれた配管に対し水平に配管を接続しなければならないものであっても、安定したろう付け性能を確保し、品質を向上させ、同時に作業性の向上も図る。【解決手段】  ろう付けを行なう物を乗せるための受台１と、ろう付けを行なう物を安定して支えるための支柱２と、受台１と支柱２を支持するためのベース６と、受台１と支柱２の回転軸３を中心とした回転機構と、回転機構を円滑に行う為の弾性体５と、受台１と支柱２が部品を乗せた後に最適な位置で固定するためのストッパー４と、部品を取り外した時に、受台１と支柱２が弾性体５により元の位置に自動で戻る機構を備える。【選択図】  図１
2006167757.tif 000002
【特許請求の範囲】
【請求項１】
ろう付けを行なう部品（以下部品という）を乗せるための受台と、部品を安定して支えることが可能な支柱を受台に接合し、尚且つ受台と支柱はベースにて支持されるとともに、回転機構を有し、更に、前記受台と支柱の回転機構に弾性体を設け、ベースには受台と支柱が回転機構により回転してろう付けに最適な位置に固定できるストッパーを有し、又、部品を取り外した場合は、受台と支柱は弾性体で定位置に自動で戻す機構兼ね備えたことを特徴とするろう付け治具。
【請求項２】
前記請求項１の機構を備えたろう付け冶具を用いて、最適な位置、方向でろう付けを行なうことができる機能を備えたろう付け方法。
【発明の詳細な説明】
【技術分野】
【０００１】
この発明は、例えば、空調機、冷凍機、湯沸かし器等の各種機器に組込まれている配管の接続作業に用いられるろう付け方法及び治具に関する。
【背景技術】
【０００２】
従来、例えば水平方向のろう付けでは母材を回転させることによりろう材の回りをよくする方法が知られている。更に、自動でろう付けにすることにより品質の向上を図っているが、ろう付け部のギャップにバラツキが生じることがある。
【０００３】
【特許文献１】特開2003-290912号公報
【発明の開示】
【発明が解決しようとする課題】
【０００４】
上述のような方法ではろう材が重力方向に偏ってしまうため、ろう材が水平方向に接続される配管の円周方向に均一に行き渡らず、また、鉛直方向に組込まれた配管から水平方向に配管を接続するために開けられた穴径と、水平方向に接続する配管の外径との嵌め合い隙間も重力方向は狭く、反重力方向は広くなるため、配管のろう付けにおいて均一な品質を得ることが困難であった。
【０００５】
本発明の目的は、ろう材が重力方向に偏ること減らし、配管のギャップを均一に保つことができるろう付け方法及び冶具を提供するものである。
【課題を解決するための手段】
【０００６】
この発明は、上記受台に部品を乗せ、支柱で部品を支え、受台と支柱が回転軸を中心に回転し、ストッパーで部品がろう付けを行なう最適な位置で固定され、最適な位置、方向でろう付けを行なうことができる機構を備ることで達成される。
【０００７】
さらに、ろう付け終了後、部品を治具から降ろし、次の部品を乗せる前には、受台、支柱は弾性体によって自動的に元の位置に戻る機構を備ることで達成できる。
【発明の効果】
【０００８】
以上のように、この発明によれば鉛直方向に組込まれた配管に対し水平に配管を接続しなければならないものであっても、ろう材を円周方向に均一に流し込ませ、安定したろう付けを行うことができ、品質が向上し、同時に作業性も向上できる。
【発明を実施するための最良の形態】
【０００９】
以下、本発明の一実施例を図１、図２により説明する。
【００１０】
ベース６上に設置された受台１は回転軸３と弾性体５によって支えられて、支柱２は受台１の片側に接合されていて部品を確実に支えられる構造となっている。又、ベース６上には、ろう付けを行う上で最適な位置となるような形状としたストッパー４が設けられている。
【００１１】
このようなろう付け冶具の受台１に部品を乗せると支柱２で部品を支えながら、同時に部品の自重にて回転軸３を中心に弾性体５を圧縮して受台１と支柱２は回転運動をして下方に傾く。
【００１２】
そして、ろう付けに最適な位置で受台１と支柱２は、ストッパー４により固定される。
本実施例によれば、部品は受台１と支柱２が下方へ傾くことにより部品のろう付け方向が水平方向から鉛直方向へ変えられることとなり、ろう付け部の嵌め合いギャップが均一化され、ろう付け部の品質向上と上からのろう付け作業により作業性向上が図れるという効果がある。
【００１３】
また、ろう付けを行った部品を取り外すと、受台１と支柱２は回転軸３を中心に元の位置に戻り、次の作業を簡単に行うことができ、段取りのロス等も解消される効果もある。
【図面の簡単な説明】
【００１４】
【図１】本発明の冶具の全体図を示す。
【図２】本発明のろう付け時の位置を示す。
【符号の説明】
【００１５】
１…受け台、２…支柱、３…回転軸、４…ストッパー、５…弾性体、６…ベース。
【図１】
2006167757.tif 000003
【図２】
2006167757.tif 000004
(57)【要約】【課題】  従来、ネックレス等の留め金の構造は複雑で、装着にも予想外の時間が掛かることが多い。  この発明は、単純な構造にして時間を掛けずに装着できるネックレス等の留め金を提供することを課題とする。【解決手段】  留め金の胴体１に左腕２と右腕３を設けて、また胴体１には臍４を設ける。自身の臍４は凸状の円で相手の臍４は凹状の円で合わせやすく回転しやすいように設ける。  互いの左右の腕が相手に触れない位置で互いの臍４を合わせて回転させ、自身の左腕２と右腕３をそれぞれ相手の右腕３と左腕２に合わせて合体させる。【選択図】図１
2006167233.tif 000002
【特許請求の範囲】
【請求項１】
留め金の胴体に左腕と右腕を設けて、自身の胴体には凸状の臍を設け、相手の胴体には凹状の臍を設けたことを特徴とするネックレス等の留め金。
【発明の詳細な説明】
【技術分野】
【０００１】
この発明は、ネックレス等の留め金の構造に関するものである。
【背景技術】
【０００２】
ネックレス等の留め金は留めるのが大変であったり作成するのが大変であった。
【発明の開示】
【発明が解決しようとする課題】
【０００３】
従来、ネックレス等の留め金の構造は複雑で、装着にも予定外の時間が掛かることが多い。
【０００４】
この発明は、単純な構造にして時間を掛けずに装着できるネックレス等の留め金を提供することを課題とする。
【課題を解決するための手段】
【０００５】
以上の課題を解決するために、留め金の胴体に左腕と右腕を設けて、自身の胴体には凸状の臍を設け、相手の胴体には凹状の臍を設けたことを特徴とするネックレス等の留め金である。
【発明の効果】
【０００６】
この発明によれば、互いの左右の腕が相手に触れない位置で違いの臍を合わせて回転させることにより、自身の左腕と右腕がそれぞれ相手の右腕と左腕に合わさり合体するので装着しやすい。
【０００７】
また、構造が単純なので金型でも作成でき、余分な組み立て行程も不要で、材質も金属に限らずカラフルなプラスチック等も使える。
【発明を実施するための最良の形態】
【０００８】
この発明の第一の実施形態を、図１に示す。
【０００９】
留め金の胴体１に左腕２と右腕３を設けて、また胴体１には臍４を設ける。自身の臍４は凸状の円で相手の臍４は凹状の円で合わせやすく回転しやすいように設ける。
「実施形態の効果」
この実施形態によれば、互いの臍４を合わせて回転させることにより、自身の左腕２と右腕３がそれぞれ相手の右腕３と左腕２に合わさり合体するので装着しやすい。
【００１０】
また、構造が単純なので金型でも作成でき、余分な組み立て行程も不要で、材質も金属に限らずカラフルなプラスチック等も使える。
「他の実施形態」
第二の実施形態を、図３に示す。
【００１１】
これは左腕２と右腕３を異なる形にして同じ効果を持たせるものである。
【図面の簡単な説明】
【００１２】
【図１】留め金の斜視図である。
【図２】留め金を合体させた斜視図である。
【図３】第二の実施形態の留め金の斜視図である。
【符号の説明】
【００１３】
１  胴体
２  左腕
３  右腕
４  臍
【図１】
2006167233.tif 000003
【図２】
2006167233.tif 000004
【図３】
2006167233.tif 000005
(57)【要約】【課題】  従来、ネックレス等の留め金の構造は複雑で、装着にも予想外の時間が掛かることが多い。  この発明は、単純な構造にして時間を掛けずに装着できるネックレス等の留め金を提供することを課題とする。【解決手段】  留め金１が永久磁石であり、自身と合体する相手が引き合うようにＮ極、Ｓ極を設定しておく。合体したときの形状は円柱に限らず直方体等でも良い。  互いの留め金が相手を引き寄せるので簡単に装着できる。また構造が単純なので作成が容易である。【選択図】図１
2006167234.tif 000002
【特許請求の範囲】
【請求項１】
留め金が永久磁石であることを特徴とするネックレス等の留め金。
【発明の詳細な説明】
【技術分野】
【０００１】
この発明は、ネックレス等の留め金の構造に関するものである。
【背景技術】
【０００２】
従来、健康ネックレス等としてネックレスそのものを永久磁石にしたものはあった。しかしながら装着しやすくする目的で留め金そのものを永久磁石にしたものはなく待ち望まれていた。
【発明の開示】
【発明が解決しようとする課題】
【０００３】
従来、ネックレス等の留め金の構造は複雑で、装着にも予定外の時間が掛かることが多い。
この発明は、単純な構造にして時間を掛けずに装着できるネックレス等の留め金を提供することを課題とする。
【課題を解決するための手段】
【０００４】
以上の課題を解決するために、留め金そのものが永久磁石であることを特徴とするネックレス等の留め金である。
【発明の効果】
【０００５】
この発明によれば、互いの留め金が相手を引き寄せるので簡単に装着できる。また構造が単純なので作成が容易である。
【発明を実施するための最良の形態】
【０００６】
この発明の第一の実施形態を、図１に示す。
留め金１が永久磁石であり、自身と合体する相手が引き合うようにＮ極、Ｓ極を設定しておく。合体したときの形状は円柱に限らず直方体等でも良い。
【０００７】
「実施形態の効果」
この実施形態によれば、互いの永久磁石が相手を引き寄せるので簡単に装着できる。また構造が単純なので作成が容易である。
【０００８】
「他の実施形態」
第二の実施形態を、図３に示す。
これは留め金の形状を上下半分でなく左右半分にして同じ効果を持たせるものである。
【図面の簡単な説明】
【０００９】
【図１】留め金の斜視図である。
【図２】第二の実施形態の留め金の斜視図である。
【符号の説明】
【００１０】
１  留め金
【図１】
2006167234.tif 000003
【図２】
2006167234.tif 000004
(57)【要約】【課題】雨に濡れた傘を畳んで室内に入室する場合、雨に濡れた傘に使い捨ての袋カバ−か、別に専用の携帯用袋カバ−を使用するタイプがあり、使い捨て袋カバ−の使用後はごみとなり、専用の携帯用袋カバ−を使用した場合では、濡れた携帯用袋カバ−を持ち歩く事となり、袋カバ−に溜まった雨水を簡単に排出できない。【解決手段】雨に濡れた傘を持ち室内に入室する場合、傘の石突部分（１）の底部キャップ（５）を開け、傘カバ−（３）を繰り出し、傘（６）の全体を覆い外部に雨水を漏らす事がなく、室内から外出する時に、傘（６）を使用する前に傘カバ−（３）を引き上げる事により、スプリング（４）を伸張させて、傘カバ−内部に溜まった雨水を排出させてから収納する事により、手を濡らす事無く傘カバ−（３）の出し入れをする事が出来る雨傘カバ−内蔵傘で解決する。【選択図】図２
2006167250.tif 000002
【特許請求の範囲】
【請求項１】
傘（２）の石突部分（１）より傘（２）全体を覆う為の、中棒（８）の中に収納された傘カバ−（３）と、傘（２）の手元の内空部先端に固定された伸縮可能なスプリング（４）を連結し、そして傘カバ−（３）を引き上げる事により、スプリング（４）を伸張させて、傘カバ−（３）内に溜まった雨水を排出させるキャップ（５）付きの排出口を傘カバ−（３）内部に備えた事を特徴とする傘カバ−内臓式雨傘。
【請求項２】
傘（２）のキャップ（５）の内側にボタンのメス（１１）を取り付けて、傘カバ−（３）の先端部分に取り付けられた、ベルト（６）のボタンのオス（１２）を止めるようになされている事を特徴とする請求項１の傘カバ−内臓式雨傘。
【請求項３】
傘（２）の手元部分（７）上端に面ファスナ−のメス（９）を取り付け、傘カバ−（３）のベルト（６）の帯面に面ファスナ−のオス（１０）を取り付け、ボタンのオス（１２）とボタンのメスで止め（１３）、傘カバ−（３）がずれないように固定出来る様になされている事を特徴とする、請求項１と請求項２記載の傘カバ−内臓式雨傘。
【発明の詳細な説明】
【技術分野】
【０００１】
本発明は、雨天に使用する雨傘、特に傘の中棒のなかに収納された袋カバ−をいしづき部分より随時繰り出せ、カバ−内部に溜まった雨水を排出する傘に関する。
【背景技術】
【０００２】
従来の市販されている雨傘には、別に袋カバ−を付帯させたものが多く、使用時には袋カバ−は不要となるので、かばんにしまっておいたり、ポケットにしまっておき、そして袋カバ−を携帯していて紛失したりすることが間々あり、またス−パ−等で専用の使い捨てビニ−ル袋に入れておき使用終了時はごみになっている現状で、雨天の際に濡れた傘を畳んで裸のまま混雑した乗り物に乗り込んだり、室内に入室した場合、いちいち袋カバ−をすれば良いのだが、すぐまた傘を使用する場合には面倒であり、また備え付けの袋カバ−はもともと傘を乾かして収納しておく場合に使用するものであるから、濡れたままの傘を納めるには抵抗感が伴う。
【特許文献１】実開平０１−３９０１７号公報
【発明の開示】
【発明が解決しようとする課題】
【０００３】
現在、雨に濡れた傘を畳んで乗り物に乗車したり、室内に入室する場合、濡れた傘で他人の衣服等を濡らしてしまい迷惑を詫びる事等があり、対策として雨に濡れた傘にス−パ−等で使用する使い捨ての袋カバ−か、別に専用の携帯用袋カバ−を使用するタイプがあるが、袋カバ−に雨水が溜まったままの状態になっていて、ス−パ−等で使用する袋カバ−は使用後は濡れたままの袋がごみになるか、専用の携帯用袋カバ−を使用した場合では、濡れたままの携帯用袋カバ−を持ち歩かなければならない事となり、袋カバ−に溜まった雨水を排出できる雨傘カバ−内臓式傘を提供する。
【課題を解決するための手段】
【０００４】
上記目的を達成するため、本発明は雨に濡れた傘を持ち乗り物に乗車したり、室内に入室する場合、傘の石突部分（１）の底部キャップ（５）を開け、傘カバ−（３）を繰り出し、傘（２）の全体を覆い外部に雨水を漏らす事がなく、乗り物から下車したり、室内から外出する時に、傘（２）を使用する前に傘カバ−（３）を引き上げる事により、スプリング（４）を伸張させて、傘カバ−内部に溜まった雨水を排出させてから収納する事により、手を濡らす事無く傘カバ−（３）の出し入れをする事が出来る雨傘カバ−内蔵式傘で解決する。
【発明の効果】
【０００５】
本発明は以上のようで、傘本体に内蔵されているので、傘カバ−を携帯しなくてもよく、ス−パ−等で備え付けの使い捨ての傘を入れる袋を使用する必要もなく、いつにてもどこにても濡れた傘を簡単に覆って周囲に迷惑を掛けないで済み、しかも備え付けの使い捨ての傘を入れる袋のようにごみになる事もなく、これまでにない環境に配慮した発明であり、溜まった雨水も簡単に排出出来るので、手が濡れるなどの不快な思いをする事
がなくなり、また、傘としての外観もこれまでと概略変わらないのでデザインにも問題ない。
【発明を実施するための最良の形態】
【０００６】
図１において、傘（２）の石突部分（１）から、傘（２）全体を覆う傘カバ−を下端開口部のキャップ（５）を開き、傘カバ−（３）のベルト（６）のボタンをキャップ（５）からはずし傘カバ−（３）を取り出し、傘（２）本体に覆い、手元部分（７）上端にベルト（６）を面ファスナ−で止め、ボタンのオス（１２）をボタンのメス（１３）で止め、ずれる事無く使用し、傘カバ−（３）を引き上げる事により、スプリグ（４）を伸張させて、傘カバ−（３）内に溜まった雨水を排出させ、傘カバ−（３）を下端開口部より収納し、キャップ（５）の内側のボタンに、傘カバ−（３）のベルト（６）のボタン部分を止めてからキャップ（５）閉じる事で、手を濡らす事なく傘カバ−（３）を出し入れ出来る雨傘カバ−内蔵式傘。
【図面の簡単な説明】
【０００７】
【図１】本考案の通常時を示す雨傘カバ−入り傘の断面図
【図２】本考案の１実施例を示す雨傘カバ−入り傘の断面図
【図３】本考案の２実施例を示す雨傘カバ−入り傘の断面図
【図４】本考案の下端開口部キャップの拡大図
【図５】本考案の手元部分の拡大図
【符号の説明】
【０００８】
（１）傘の石突部分
（２）傘
（３）傘カバ−
（４）スプリング
（５）キャップ
（６）ベルト
（７）手元部分
（８）中棒
（９）面ファスナ−のメス
（１０）面ファスナ−のオス
（１１）ボタンのメス
（１２）ボタンのオス
（１３）ボタンのメス
【図１】
2006167250.tif 000003
【図２】
2006167250.tif 000004
【図３】
2006167250.tif 000005
【図４】
2006167250.tif 000006
【図５】
2006167250.tif 000007
(57)【要約】      （修正有）【課題】指先の不自由な人や指先に力の入らない人（リウマチ患者等）が、細かな位置決め作業や力を必要とせず、安全に、確実に力を必要とせず、注射針プロテクターキャップを外せるリキャップ器に関するものである。【解決手段】注射針プロテクターキャップ口４と注射針固定ルアーチップ部５間を押さえる突起１、注射針固定ルアーチップ部５を逃がすための溝２、注射針プロテクターキャップ口４と注射針固定ルアーチップ部５間を広げるためのテーパー部を設ける。【選択図】図３
2006167409.tif 000002
【特許請求の範囲】
【請求項１】
（イ）注射針プロテクターキャップ口４と注射針固定ルアーチップ部５間を押さえる突起１を設ける。
（ロ）注射針固定ルアーチップ部５を逃がすための溝２を設ける。
（ハ）注射針プロテクターキャップ口４と注射針固定ルアーチップ部５間を広げるためのテーパー部３を設ける。
以上の如く構成された、注射針プロテクターキャップリキャップ器。
【発明の詳細な説明】
【技術分野】
【０００１】  本発明は、注射針プロテクターキャップ（注射針保護カバー）を外すときに使用するリキャップ器であって、特にリウマチ症状改善のための薬液（注射薬）をドクター指導の元で在宅自己注射を行なう場合、リウマチ疾病進行などで関節が強張り、指先での細かな作業が困難になり、自分では注射針プロテクターキャップを外すことが困難になり、在宅での自己注射をあきらめるか家族の手助けが必要になるが、リウマチ疾病進行患者自身が安全で安易に注射針プロテクターキャップを外すことを目的とする、注射針プロテクターリキャップ（注射針保護カバー外し）器に関するものである。
【背景技術】
【０００２】  最近のリウマチ疾病に対する治療薬の進歩は目覚しく、関節が破壊される前にリウマチ治療薬を投与すれば進行を抑えることができるようになってきた。従来のリウマチ治療はリウマチ症状がでてもリウマチの進行を止める治療を行なえず、リウマチ症状緩和を行なう対処療法が一般的であり、リウマチの痛みを抑えることを中心に行なっていた。これはリウマチ症状を改善できる薬が無かったためであり、罹患された方は不幸としか言いようがなかった。
しかし、最近のリウマチ治療薬の進歩は目覚しく、リウマチ治療薬注射によりリウマチ関節炎症からの関節破壊が抑えられるまできており、リウマチ治療薬注射によりリウマチ症状が改善できれば普通の生活に戻れるのである。リウマチ初期であればドクター指導の下で、リウマチ治療薬を在宅で自己注射することも可能であり、リウマチ進行を抑えるとか、関節の強張る症状を改善できることが期待できるため、通院時間と医療費の抑制につながる。
健常人が薬液の入った注射器に注射針プロテクターキャップで保護された注射針を取り付けて、注射針プロテクターキャップを指で外すことは容易にできる。またこれまでは、健常人用のリキャップ器はあった。
ところが、リウマチ疾病では抹消関節から炎症が発生し、やがて関節が強張り、痛みも加わるため細かなことができなくなる。有る程度までリウマチ疾患が進行するとかで指先が不自由になれば、リウマチ治療薬の自己注射を行おうとするとき、自己注射針のプロテクターキャップを外すこと、またリキャップ器を使用することすら困難なる。
本来、注射針プロテクターキャップは、この様なリウマチ患者が自己注射を行なうようには考えられていない。このため、病院に出向いてリウマチ治療薬の投薬を受けざるを得ないのである。指先が固まった人にとっては病院までの交通機関を利用するにも障害になる場面も多い。健常人と異なり小銭を使用するにももたつくし、通院費用や病院での時間がついやされる。しかし、治療を受けなければ更にリウマチ症状が悪化する恐れがあるため、病院まで行かなければならないのが現状である。
【発明の開示】
【発明が解決しようとする課題】
【０００３】  本発明は、リウマチ疾病や何らかの原因などで指先に力を入れられないとか指関節が不自由な人でも、安易に、かつ安全に注射針プロテクターキャップを、細かなことや力を要せず簡単に外せることができれば、ドクター指導の元で在宅での自己注射が可能になる。
多くのリウマチ患者は、親指は動くがその他の指が動かないなど握るという動作ではなく、親指の付け根でものを軽く挟むとか、手でものを押えるといった程度の作業しかできない。
そのために、注射針プロテクターキャップも指先が不自由な方では容易に外すことができないため、冶具に注射針プロテクターキャップ部の溝部を乗せて押すだけでリキャップできるようにテーパー溝を利用したキャップ外し部を設ければ、リウマチ症状で指先に力が入らない痛む指先であっても注射の準備のための細かな作業に不自由な思いをしなくてもすむ。操作性も、リウマチ症状の進行状態にもよるが、平らな場所に置いて、ただ押すだけでリキャップ可能とすれば、親指しか動かない人でもドクター指導による在宅での自己注射治療が可能になる。
【課題を解決するための手段】
【０００４】  いま、その構成を説明すると、
（イ）注射針プロテクターキャップ口４と注射針固定ルアーチップ部５間を押さえる突起１を設ける。
（ロ）注射針固定ルアーチップ部５を逃がすための溝２を設ける。
（ハ）注射針プロテクターキャップ口４と注射針固定ルアーチップ部５間を広げるためのテーパー部３を設ける。
以上のように装置する。
【発明を実施するための最良の形態】
【０００５】  次に本発明の実施の形態を述べると、汚染防止や針刺し防止のため設けている注射針プロテクターキャップ７を外す行為は、平らな場所に置いて、テーパー部３を設けた溝２に注射針８と注射針プロテクターキャップ７の接続部段差溝９をテーパー部３にセットし、上からレバー６を下げるだけで簡単に外せる。
【発明の効果】
【０００６】  したがって、指先の不自由な人や指先に力の入らない人（リウマチ患者等）が、細かな位置決め作業や力を必要とせず、安全に、確実に力を必要とせず、注射針プロテクターキャップを外せるリキャップ器である。
【図面の簡単な説明】
【０００７】
【図１】  本発明の正面図
【０００８】
【図２】  本発明のレバー開き図
【０００９】
【図３】  本発明のリキャップ状態断面図
【符号の説明】
【００１０】１は突起
２は溝
３はテーパー部
４は注射針プロテクターキャップ口
５は注射針固定ルアーチップ部
６はレバー
７は注射針プロテクターキャップ
８は注射針
９は接続部段差溝
１０はバネ
【図１】
2006167409.tif 000003
【図２】
2006167409.tif 000004
【図３】
2006167409.tif 000005
(57)【要約】【課題】  使用場所を選ばない且つ片手で容易に切り取ることができるトイレットペーパーホルダーを提供する。【解決手段】  ロールペーパー心棒（５）にロールペーパー（６）をセットし、挿通孔（１）と挿通孔（２）にロールペーパーを通過させる。ロールペーパーを必要量を引き出し、ロールペーパーカッター（３）で切り取る。この操作は片手でできる。  支柱（４）に固定部材を使うことにより、ポータブルトイレ、ベッドサイドバー、介助バーに固定して使用することができる。【選択図】  図１
2006167406.tif 000002
【特許請求の範囲】
【請求項１】
挿通孔部にロールペーパーを通し、引き出したロールペーパーを片手で切り取る事ができるトイレットペーパーホルダー。
【請求項２】
固定部材を使う事により、壁以外の場所に取り付けることのできるトイレットペーパーホルダー。
【発明の詳細な説明】
【技術分野】
【０００１】  片手のみで使用できるトイレットペーパーホルダーに関するものである。
【背景技術】
【０００２】  従来から使われているトイレットペーパーホルダーは、両手を使わなければ、ロールペーパーを引き出すことや、切り取ることも出来ない。このため、片手が不自由な方々、介護者にとっては、この行為が困難である。また、従来の製品は壁に取り付けるため使用場所（トイレ個室）が限られ、ポータブルトイレ及びベッドサイドで使用する事を考えられていない。
【発明の開示】
【発明が解決しようとする課題】
【０００３】  ロールペーパーの引き出し及び切り取ることが片手でおこなうことができなかった、壁に取り付けるため使用場所（トイレ個室）が限られていた。本発明は、以上の欠点を無くすためになされたものである。
【課題を解決するための手段】
【０００４】  この課題を解決するための請求項１の発明は、支柱（４）にロールペーパーを通すための挿通孔部（１）と挿入孔部（２）を設け、ロールペーパーカッター（３）で片手で且つ容易にロールペーパーを引き出し切り取ることができる。【０００５】  支柱（４）に固定部材を取り付けることにより壁以外の場所に固定ができる。
【発明の効果】
【０００６】  ロールペーパーを片手で容易に引き出し切り取れるようにするとともに、トイレットペーパーホルダーの取り付け場所を壁以外の場所に固定可能であるため、ポータブルトイレ、ベッドサイドバー、介助バーに固定して使用することができる。
【発明を実施するための最良の形態】
【０００７】  以下に本発明の実施例を、図面を用いて説明する。
図１は、本発明のトイレットペーパーホルダー斜視図で、図２はロールペーパーの使用状態を示す側面図である。【０００８】  ロールペーパー心棒（５）にロールペーパー（６）をセットし、挿通孔部（１）に通し、次に挿通孔部（２）にロールペーパーを通過させる。ロールペーパーを必要量を引き出し、ロールペーパーカッター（３）で切り取る。【０００９】  支柱（４）に固定部材を使うことにより、ポータブルトイレ、ベッドサイドバー、介助バーに固定して使用することができる。
【図面の簡単な説明】
【００１０】
【図１】この発明の斜視図である。
【図２】この発明のロールペーパーの使用状態を示す側面図である。
【符号の説明】
【００１１】１  挿通孔部
２  挿通孔部
３  ロールペーパーカッター
４  支柱
５  ロールペーパー心棒
６  ロールペーパー
【図１】
2006167406.tif 000003
【図２】
2006167406.tif 000004
(57)【要約】【課題】    買物時等で、手提げ袋（鞄）が複数になり持ちにくく、重くて指や手が痛くなり両手がふさがる不便さを、楽に安全に持つ事の出来る手提げ袋用肩掛け式ベルトを提供する。【解決手段】    不使用時に収納してコンパクト持ち歩くことの出来るホルダーに取り付けられた布ベルトに、簡単に布ベルトを出し手提げ袋（鞄）を通して肩に掛ける事により、重さの負担も少なくなり両手が自由になり、安全で楽に荷物を運ぶことのできる手提げ袋用肩掛け式ベルト。【選択図】    図１
2006167402.tif 000002
【特許請求の範囲】
【請求項１】
両端部に着脱可能なジョイントを有するベルトに、ベルトを折りたたんで収納する為のホルダーと、該ホルダーの部位に滑り止めショルダーパットを装着したことを特長とする手提げ袋用肩掛け式ベルト。
【発明の詳細な説明】
【技術分野】
【０００１】  本発明は、買い物等の手提げ袋（鞄）を、まとめて肩にかけられるようにするベルトに関するものである。
【背景技術】
【０００２】  従来、手提げ袋を手中に収まるグリップにまとめてかけ、手のひらが痛くならないようにする道具や、もち手となるフックや丸輪に袋を提げるためのフックをつけ、まとめて持つことが出来、手のひらが痛くならずに持つことができる道具があった。
【発明の開示】
【発明が解決しようとする課題】
【０００３】    そのために、次のような問題点があった。    イ）複数の手提げ袋をまとめて持つことが出来るが、手がふさがってしまうので、つ        まづいた時や、子供をつれているとき等不便である。    ロ）手で持つので、重さが指と肩にのみかかってくるので、老人や力の弱い人には大        変である。    本発明は以上の問題点を解決するためになされたものである。
【課題を解決するための手段】
【０００４】    両端部に着脱可能なジョイントを有するベルトに、ベルトを折りたたんで収納する為のホルダーと、該ホルダーの部位に滑り止めショルダーパットを装着したことを特長とする手提げ袋用肩掛け式ベルトである。
【発明の効果】
【０００５】    両手で持たなくてはならないような複数の重い手提げ袋（鞄）を、ひとまとめにして  肩にかけることにより、両手が自由になり、重さの負担を指と腕だけから、肩を通して  全身で支える事が出来るため、極めて楽に重いものを持つことが出来、かつ両手が自由  になるため安全で便利である。
【発明を実施するための最良の形態】
【０００６】  以下、本発明の実施の形態を説明する。  （イ）丈夫な布ベルト（１）の一方に雌ジョイント（２）を縫い付け、もう一方にベル        トの長さを調整できるバックル（４）を通し、雄ジョイント（３）を取り付ける        。  （ロ）長方形状の布等の素材を使用した、基部（６）の両側に上カバー（７）下カバー        （８）から形成されるベルト収納ホルダー（５）の、上カバー（７）の内側に雄        面ファスナー（１０）と、下カバー（８）の外側に雌面ファスナー（１１）を縫        い付ける。  （ハ）基部（６）の内側に布ベルト（１）の雄ジョイント（２）の近傍位置を縫いつけ        る。  （ニ）基部（６）の外面に、長方形の滑りを止める、ゴム製のショルダーパット（９）        を装着する。  本発明は、以上の構成によりなっている。  本発明を使用する時は、ベルト収納ホルダー（５）に収納されている布ベルト（１）を  出し、雌ジョイント（２）と雄ジョイント（３）をはずし、布ベルト（１）に手下げ袋  （鞄）を通し、雌ジョイント（２）と雄ジョイント（３）を留めて肩にかける。
【図面の簡単な説明】
【０００７】
【図１】本発明の全体斜視図
【図２】本発明の布ベルトを折りたたんだ状態を示す斜視図
【図３】本発明のカバーを閉じた不使用時の状態を示す斜視図
【図４】本発明のベルト収納ホルダー裏面斜視図
【図５】本発明使用時の状態を示す図
【符号の説明】
【０００８】      １    布ベルト      ２    雌ジョイント      ３    雄ジョイント      ４    バックル      ５    ベルト収納ホルダー      ６    基部      ７    上カバー      ８    下カバー      ９    ショルダーパット      １０  雄面ファスナー      １１  雌面ファスナー
【図１】
2006167402.tif 000003
【図２】
2006167402.tif 000004
【図３】
2006167402.tif 000005
【図４】
2006167402.tif 000006
【図５】
2006167402.tif 000007
(57)【要約】【課題】  頭髪の洗髪時に、シャンプー剤を泡立てる事により頭皮、頭髪にとって負担の少ない洗髪をするための洗髪用スポンジネットを提供する。【解決手段】半球状の網袋内にスポンジを数個入れ入り口を閉じ、一部のスポンジを固定する。そして、スポンジでシャンプー剤を泡立て洗髪、同時に頭皮を網袋ごしにマッサージする。以上を特徴とする洗髪用スポンジネット。【選択図】  図１
2006167404.tif 000002
【特許請求の範囲】
【請求項１】
半球状の網袋内にスポンジを数個入れ、一部スポンジを固定したことを特徴とする洗髪用スポンジネット。
【発明の詳細な説明】
【技術分野】
【０００１】  本発明は、頭髪の洗髪時に、シャンプー剤を泡立てる事により頭皮、頭髪にとって負担の少ない洗髪をするための洗髪用スポンジネットに関するものである。
【背景技術】
【０００２】  従来、洗髪時には、シャンプー剤を手に取り出すあるいは直に頭髪の上に搾り出してから泡立て洗髪していた。
そのためシャンプーを流すことに時間が掛かり、また、頭皮にシャンプー分をすすぎ残してしまうと湿疹、かぶれの原因に成ることもあった。
【発明の開示】
【発明が解決しようとする課題】
【０００３】  そのために、次のような問題点があった。
シャンプー剤を良く泡立て洗髪にいたるまで時間が掛かり、十分に泡立てられないシャンプー剤はお湯に溶けにくいため、すすぎに時間が掛かるまた、すすぎ残してしまうとシャンプー分が残る事により起こる湿疹、かぶれに悩ませられる事もあった。
本発明は以上の問題点を解決しようとするものである。
【課題を解決するための手段】
【０００４】  半球状の網袋内にスポンジを数個入れ入り口を閉じ、一部のスポンジを固定する。
そして、スポンジでシャンプー剤を泡立て洗髪、同時に頭皮を網袋ごしにマッサージする。
以上を特徴とする洗髪用スポンジネットである。
【発明の効果】
【０００５】  本発明は、洗髪時にシャンプー剤を良く泡立てる事により、髪に負担をかけず洗髪をていねいに行う事ができ、シャンプー分を洗い流すことが容易にできる。したがってシャンプー分の洗い残しによる頭皮の湿疹、かぶれなどの疾病原因を取り除く効果がある。
【発明を実施するための最良の形態】
【０００６】  以下、本発明の実施の形態を説明する。
（イ）  粗い網目からなる半球形の網袋（１）の内部に色々な形状のスポンジ（２）を数個入れ入り口を閉じる。
（ロ）中央のスポンジ（３）を上下の網で挟むように縫い付け固定する。
本発明は、以上の構成によりなっている。
本発明を使用する時は、洗髪の前にお湯で十分にすすぎ濡らし、上記の洗髪用スポンジネットをお湯に浸し軽く絞る。
中央のスポンジ（３）の固定したくぼみにシャンプー剤を適量採り、十分に泡立ててから濡らした頭髪の上に洗髪用スポンジネットをのせ、その上よりマッサージをするように洗髪する。
泡が十分頭髪に馴染んだら洗髪用スポンジネットを外し、洗いのこした細かいところを洗い、終わったらお湯でていねいにすすぐ。
２度洗いの時は、洗髪用スポンジネットに１回目のシャンプー剤が残っているためシャンプー剤は少量で良く経済的である。
また、網袋内に仕込むスポンジ（２）を可愛い形にすることで、こどもも楽しく洗髪する事ができる。
【図面の簡単な説明】
【０００７】
【図１】本発明の斜視図
【図２】本発明の分解斜視図
【図３】本発明の使用状態を示す斜視図
【符号の説明】
【０００８】    １  網袋
２  スポンジ
３  中央のスポンジ
【図１】
2006167404.tif 000003
【図２】
2006167404.tif 000004
【図３】
2006167404.tif 000005
(57)【要約】【課題】    少なくとも一個以上のピンチを使用する洗濯用品において、同一品に設置されているピンチがお互いに絡みついて作業の効率を悪くしてしまうため、それらのピンチがお互いに絡みつかないような構造を提供することである。【解決手段】    ピンチの上部にある空間に他のピンチが侵入するため絡みつきが生ずる。その空間に他のピンチが侵入しないように、上部にブリッジを設置して、空間への入り口を閉鎖することである。【選択図】    図２
2006167408.tif 000002
【特許請求の範囲】
【請求項１】
日常使用される少なくとも一個以上の９ピンチをもって洗濯物を干す洗濯用器具において、使用する器具の１０本体に装備されている９ピンチがお互いに絡み合わない様に、各９ピンチの５バネ部分からの接合部に３大型リング状の接続パーツを具備させ、なおかつ各９ピンチの左右両面の４力点部を結合する１ブリッジ状の部品を設置することにより、他の９ピンチが絡みつかないような構造をもたせた洗濯用品。
【発明の詳細な説明】
【技術分野】
【０００１】    日常使用される洗濯物乾燥用ピンチ使用の吊り下げ式洗濯用品に関する。
【背景技術】
【０００２】    通常、洗濯物を干す時に使用される吊り下げ用のピンチに関する。【０００３】    少なくとも一個以上のピンチを外枠に装備しながら、複数の洗濯物を同時に吊り下げ、乾燥させる目的で使用される用具に装備された、そのピンチの形状および機能に関する。
【発明の開示】
【発明が解決しようとする課題】
【０００４】    本発明は洗濯物を角ハンガー等、少なくとも一個以上の９ピンチを有する乾燥用器具の１０本体から吊り下げる際、互いの９ピンチが絡みつき、作業を面倒にさせている。その、不便さを解消することである。
【課題を解決するための手段】
【０００５】    一般に使用されている洗濯用器具で、１０本体に少なくとも一個以上の９ピンチが装備されている物について、それらの９ピンチがお互い絡み合わないように、各９ピンチの４力点部に１ブリッジ状のパーツを追加して、２連結チェーンに他の９ピンチが挟み込まれないようにすることである。
【発明の効果】
【０００６】    本発明により、洗濯物を干す作業をする際に、絡み合った９ピンチを一つ一つ分離しながら干さなければならないという、煩わしさから開放され作業性の効率化が計れる。【０００７】    本発明により、互いの９ピンチが絡みついた状態で、それらのピンチを無理やり分離させるため強く引き離さねばならない。そのために起こる、製品の破壊損傷や不具合が解消され、製品の長寿化ができる。
【実施例】
【０００８】    「図１」のように、９ピンチ上部にある空間部に１ブリッジを設置する。  そうすることにより従来空間が空いていた９ピンチ上部を閉塞して、他のピンチの侵入を防ぐことを可能にする。【０００９】    「図２」「図３」で示されるように、９ピンチの４力点部に設置された１ブリッジが通過するに十分な大きさの３大型リングを備えることにより、２連結チェーンと繋げることが出来る。さらに、１０本体の８外枠に連結することにより少なくとも一個以上の９ピンチを具備させることを可能にする。【００１０】    通常、９ピンチが絡まり、作業を複雑にする原因は１０本体を収納する際に９ピンチの６作用点部や４力点部が、他の４力点部の空間に設置される２連結チェーンの延長部に絡まるからである。しかし、本発明により、その空間部への侵入口に１ブリッジを設置することにより、他の９ピンチの６作用点部や４力点部がその空間部へ侵入することを妨げることが出来る。【００１１】    ３大型リングの形状は５バネとの連結をする役割を持つフックと一体化して２連結チェーンと５バネを連結する。
【図面の簡単な説明】
【００１２】
【図１】    ピンチの上面図である
【図２】    ピンチの正面図である
【図３】    ピンチの側面図である
【図４】    角ハンガー本体図である
【符号の説明】
【００１３】    １．ブリッジ              ２．連結チェーン
３．大型リング            ４．力点
５．バネ                  ６．作用点
７．グリップ              ８．外枠
９．ピンチ              １０．本体
【図１】
2006167408.tif 000003
【図２】
2006167408.tif 000004
【図３】
2006167408.tif 000005
【図４】
2006167408.tif 000006
(57)【要約】【課題】  従来のシート式ナプキンでは、肌との密着感が少なく不安定であった。またナプキンだけでは長時間取り替えることができないときなど不安である。タンポンは挿入時の違和感があり、取り替えるときなど手やトイレを汚す恐れがある。またナプキンおよびタンポンはトイレに流すことができず不便である。【解決手段】  ナプキンにプラスαとして使用する。ロールナプキンを挟み使用することにより、挿入することなくタンポンの効果が得られ、長時間ナプキンを取り替えることができないときでも安心である。タンポンは挿入することに効果を得るコルクのような働きであるが、ロールナプキンは挟むことにより牛乳瓶の蓋のような働きをする。手を汚すことなくトイレに流せる。【選択図】図１
2006167405.tif 000002
【特許請求の範囲】
【請求項１】
円柱形の生理用ナプキンであり、陰部に挟み込み使用するタイプのタンポン。
【請求項２】
流せる素材を円柱形にしたもので、陰部に挟み込み使用することを特徴とする請求項１の生理用品。
【発明の詳細な説明】
【技術分野】
【０００１】    本発明は、女性の生理用品に関する。
【背景技術】
【０００２】  従来の生理用ナプキンはシート式であり、ショーツに添付することにより使用する。またタンポンは膣内に自分で挿入しなければならない。【０００３】  ナプキンは不透過性のシートを片面に使用し、タンポンは取り出し紐に防水加工を施す必要があり、その特性上トイレに流すことができない。
【発明の開示】
【発明が解決しようとする課題】
【０００４】  しかしながら、以上の技術によれば、シート式ナプキンだけでは、肌との密着感がなく不安定であり、また長時間取り替えることができないときなどは不安である。またタンポンは挿入する違和感があり、取り外すときなど手やトイレを汚す恐れがあり不快である。【０００５】  そこで、この発明は、円柱形の生理ナプキンを挟み込んで使用することにより、肌と密着し安心感を与える。タンポンの挿入時の違和感なく、タンポンと同様の効果を提供する。【０００６】  また、トイレに流せることにより、生理時のトイレでの手間を少なくする。
【課題を解決するための手段】
【０００７】  以上の課題を解決するために、形状をロール型（円柱形）にした生理ナプキンを陰部に挟み込み使用することにより、タンポンと同様の効果を提供することを特徴とするナプキンである。【０００８】  挟み込み使用することにより、トイレに自然に剥れ落ちるか、もしくは容易に取り外し、トイレに流せることを特徴とする。
【発明の効果】
【０００９】  この発明によれば、長時間ナプキンを取り替えることができないときなど、シート式ナプキンと併用し生理漏れの不安を緩和でき、タンポンと同様の効果が得られる。タンポンは膣内に挿入することに効果を得るコルクのような働きであるが、ロールナプキンは挟むことにより牛乳瓶の蓋のような働きをする。【００１０】  また、捨てるときは、自然に剥がれ落ちるか、容易に取り外すことができ、トイレに流すことができる。
【発明を実施するための最良の形態】
【００１１】  この発明の一実施形態を、図１に示す。
形状は円柱形で、直径約１２〜１５ミリ、長さは約５〜６センチであり、素材はトイレに流せるものであること。【００１２】「実施形態の効果」
この実施形態によれば、陰部に挟みやすく違和感も少ない。トイレ使用時に自然に落ちて流せる。【００１３】「他の実施形態」
図１の実施形態では、素材をロール状に幾重にも巻いてあるが、円柱形でトイレに流すことができれば、素材および製造方法は他のものでも良い。
【図面の簡単な説明】
【００１４】
【図１】この発明の一実施形態を示す斜視図である。
【図１】
2006167405.tif 000003